(57)【要約】  【課題】片面記録及び両面記録のいずれにおいても記録された記録シートの擦れによる画像の乱れを防止するとともに、記録シートの表面の擦過キズを防止し、裏面記録後の記録シートの排出動作時間を削減する。  【解決手段】排出される記録シートを持ち上げて排紙トレイへの着地を遅らせるシート支持手段８ａと、シート支持手段を突出位置と収納位置に切り替える移動手段８ｂと、表面（おもて面）に記録した記録シートを引き戻して表裏反転させる反転搬送路９と、備えた両面記録可能な記録装置において、表面に記録するときにはシート支持手段を突出位置にし、裏面に記録するとき及び記録シートを排出するときにはシート支持手段を収納位置にするように制御する制御手段を設ける。【選択図】                図８
2006151671.tif 000002
【特許請求の範囲】
【請求項１】
記録情報に基づいて記録シートに画像を形成する記録手段と、記録されて排出される記録シートの両端近傍で搬送経路に突出することで該記録シートの下面を支持するように配置されたシート支持手段と、前記シート支持手段の位置を記録シートを支持可能な突出位置と記録シートを支持しない収納位置とに切り替えるための移動手段と、第１面に記録した記録シートを、第２面に記録するために表裏反転させる反転手段と、を備えた記録装置において、
前記第１面に記録するときには前記シート支持手段を前記突出位置にし、前記第２面に記録するとき及び記録シートを排出するときには前記シート支持手段を前記収納位置にするように制御する制御手段を有することを特徴とする記録装置。
【請求項２】
前記第１面のみに記録して記録シートを排出する場合に前記シート支持手段を前記突出位置にするように制御する制御手段を具備することを特徴とする請求項１に記載の記録装置。
【請求項３】
前記第１面に記録した後に記録画像のインクが定着するまで搬送を停止して待機するように制御する制御手段を有することを特徴とする請求項１又は２に記載の記録装置。
【発明の詳細な説明】
【技術分野】
【０００１】
本発明は、記録情報に基づいて記録シートに画像を形成する記録装置に関する。
【背景技術】
【０００２】
プリンタ、ファクシミリ、複写機、あるいは各種情報処理システムの出力装置として、記録情報を基づいて画像を形成する記録装置が使用されている。この記録装置は、記録ヘッドの記録方式により、例えば、インクジェット記録装置、熱転写記録装置、感熱記録装置、ワイヤドット記録装置、レーザビーム記録装置などに分けることができる。このような記録装置には、排紙ローラにより排出される記録シートを支持することで、記録シートの垂れを抑制して排紙トレイ上の記録ずみの記録シートに接触するまでの時間もしくは接触位置を調整するための支持手段を備えたものがある。この支持手段は、特に、インクを付着させて画像を形成するインクジェット記録装置において有用なものである。
【０００３】
すなわち、記録装置においては、近年記録速度が速くなり、排紙トレイに残されている記録シートのインクが乾く前に次の記録シートが排出されることがあり、そのために前の記録シートの画像インクが後の記録シートで擦られて画像が乱されるという不都合が生じる可能性があった。その対策として、排出される記録シートが垂れ落ちる時期を遅らせるために、該記録シートを支持部材で持ち上げることで、排紙時のインクの擦れを防ぐことが行われている。このような支持手段を備えた記録装置は、例えば特開２００３−２５６６６に開示されている。
【０００４】
図１２〜図１４は従来の記録装置において片面記録を行う場合の構成及び動作を示す模式的縦断面図であり、図１２は記録シートに画像を記録しているときの状態を、図１３は記録された記録シートを支持手段で持ち上げている状態を、図１４は記録された記録シートを排紙トレイ上に排出するときの状態をそれぞれ示す。図１２〜図１４において、記録シートの片面に記録（印刷）する場合は、記録シートＳは、給紙ローラ等からなる給紙手段６１、搬送ローラ等からなる搬送手段６２、記録情報に基づいてシートＳに画像を記録する記録ヘッド等からなる記録手段６３、並びに記録された記録シートＳを送り出すための排紙ローラ等からなる排出手段６４を経て、排紙トレイ６５上に排出されて積載される。図示の記録装置は、記録情報に基づいて記録ヘッド６３からインク滴を吐出することでシートＳにインク像を形成するインクジェット記録装置の場合が示されている。
【０００５】
図１５〜図１９は従来の記録装置において両面記録を行う場合の構成及び動作を示す模式的縦断面図であり、図１５は記録シートの第１面（おもて面）に画像を記録しているときの状態を、図１６は第１面に記録された記録シートを支持手段で持ち上げている状態を、図１７は第１面に記録された記録シートを逆方向に搬送して反転搬送路内へ取り込んで反転搬送を始めた状態を、図１８は反転搬送路で反転させた記録シートの第２面に画像を記録している状態を、図１９は両面に記録した記録シートを排紙トレイ上に排出するときの状態をそれぞれ示す。なお、図１５〜図１９の記録装置は、装置自体は図１２〜図１４の記録装置と同じである。
【０００６】
図１５〜図１９において、記録シートの両面に記録する場合は、記録シートＳは、給紙手段６１、搬送手段６２、記録手段６３を経て片面（第１面）の記録が終了すると、搬送手段６２及び排出手段６２を逆転させて引き込まれる。引き込まれたシートＳは、記録面を表裏反転させるための反転搬送路６６を通して搬送された後、再び搬送手段６２及び記録手段６３を通過する間に第２面に記録され、排出手段６４を経て排紙トレイ６５上に排出されて積載される。
【０００７】
インクを紙面に付着させて画像を形成する記録装置にあっては、インクの定着時間が必要である。両面記録の場合には、片面の記録を終了した記録シートが更に搬送手段６２、排出手段６４及び反転搬送路６６に通されるため、画像インクが乾燥していないと、各ローラに接触して画像が乱されるだけではなく、各ローラに転写されたインクが記録シートに再転写されて該記録シートや装置内部を汚してしまうという不都合がある。
片面記録の場合でも、記録動作の速度を上げると、排紙トレイ等の排出部へ排出された記録済みの記録シートの画像インクが定着する前に次の記録シートが排出され、後続の記録シートの先端部あるいは裏面が既に排出されている記録シートのインク像に擦れ、記録画像を乱してしまうという不都合がある。
【０００８】
そこで、排紙トレイ上の記録済みの記録シートのインクの定着時間を稼ぐために、後続の記録シートに記録し搬送する間に該記録シートを排紙トレイ上の記録シートに触れないないようにしたり、記録を終了した後続の記録シートを待機させる機構として、排出中の記録シートを持ち上げるために排紙ローラの下流側に支持部材６７を配設することが行われている。この支持部材６７は、後続の記録シートの両側の端縁部を支持することで、該記録シートの中央部に凹状のこしをつけて垂れ下がりを防ぎながら空中支持するように構成されている。
【０００９】
上記支持部材６７を備えた記録装置においては、片面記録のときには、例えば図１３に示すように、記録シートＳは、給紙ローラ６１及び搬送ローラ６２により給紙され、記録ヘッド６３でインク像を形成され、排出手段６４及び支持部材６７により空中支持された後、排紙トレイ６５に積載された記録シートの上に排出される。この片面記録の場合には、搬送される記録シートが画像記録中及び余白搬送中の間、支持部材６７は該記録シートを支持する位置にあり、該記録シートの記録画像が少ない場合など、記録を終了しても、既に排紙トレイ６５上に排出されている記録シートの乾燥時間に達していない場合は、搬送中の記録シートを待機させ、該乾燥時間に達すると該記録シートの搬送を再開し排紙トレイ上に排出する。
【００１０】
一方、両面記録のときには、先ず図１５及び図１６に示すように、記録シートＳは、給紙ローラ６１及び搬送ローラ６２により給紙され、記録ヘッド６３で第１面にインク像を形成された後、表面のインク像が乾くまで排紙ローラ６４及び支持部材６７により空中支持される。次いで、図１７〜図１９に示すように、搬送ローラ６２及び排紙ローラ６４を逆転させ、記録シートＳを反転搬送路６６を経て再び搬送ローラ６２へ送り込む。こうして搬送ローラ６２へ到達した記録シートＳは表裏が反転されており、記録ヘッド６３により第２面（裏面）にインク像を形成される。次いで、シートＳは、上述の片面記録のときと同様に排紙ローラ６４及び支持部材６７により空中支持された後、排紙トレイ６５に積載された記録シートの上に排出される。
【００１１】
以上のように、シートＳを支持部材６７により空中支持することにより、片面記録及び両面記録において未定着のインク像が後続のシートによって擦られることや、両面記録において未定着のインク像が反転搬送路内で擦られることをなくすことで、記録画像の乱れを防止することができる。
【特許文献１】特開２００３−２５６６６
【発明の開示】
【発明が解決しようとする課題】
【００１２】
しかしながら、上記従来例においては、両面記録における裏面記録のときに支持部材６７により記録シートを支持すると、該支持部材６７が当接する面が画像記録された表面（第１面）であるため、該表面のインク像を支持部材６７により引っかくこととなる。特に顔料インクの画像の場合は擦過キズが目立ちやすくなることがあり、記録画像の画質を維持することが難しくなる場合があった。また、表面記録後及び裏面記録後のそれぞれにおいて記録シートを空中保持し待機するため、記録動作のスループットが低下するという不都合もあった。
【００１３】
本発明はこのような技術的課題に鑑みてなされたものであり、本発明の目的は、片面記録及び両面記録のいずれにおいても記録された記録シートの擦れによる画像の乱れを防止するとともに、記録シートの表面の擦過キズを防止することができ、裏面記録後の記録シートの排出動作時間を削減できる記録装置を提供することである。
【課題を解決するための手段】
【００１４】
本発明は、上記目的を達成するため、記録情報に基づいて記録シートに画像を形成する記録手段と、記録されて排出される記録シートの両端近傍で搬送経路に突出することで該記録シートの下面を支持するように配置されたシート支持手段と、前記シート支持手段の位置を記録シートを支持可能な突出位置と記録シートを支持しない収納位置とに切り替えるための移動手段と、第１面に記録した記録シートを、第２面に記録するために表裏反転させる反転手段と、を備えた記録装置において、前記第１面に記録するときには前記シート支持手段を前記突出位置にし、前記第２面に記録するとき及び記録シートを排出するときには前記シート支持手段を前記収納位置にするように制御する制御手段を有することを特徴とする。
【発明の効果】
【００１５】
本発明によれば、表面記録のときにはシート支持手段を突出位置にし、裏面記録のときにはシート支持手段を収納位置にするように制御する制御手段を設けるので、片面記録及び両面記録のいずれにおいても記録された記録シートの擦れによる画像乱れを防止するとともに、記録シートの表面の擦過キズを防止することができ、裏面記録後の記録シートの排出動作時間を削減できる記録装置が提供される。
【発明を実施するための最良の形態】
【００１６】
以下、図面を参照して本発明の実施形態を具体的に説明する。なお、各図面を通して同一符号は同一又は対応部分を示すものである。図１〜図３は本発明を適用した記録装置の一実施形態において片面記録を行う場合の構成及び動作を示す模式的縦断面図であり、図１は記録シートに画像を記録しているときの状態を、図２は記録された記録シートを支持手段で持ち上げている状態を、図３は記録された記録シートを排紙トレイ上に排出するときの状態をそれぞれ示す。図１〜図３において、記録シートの片面に記録（印刷）する場合は、記録シートＳは、給紙ローラ等からなる給紙手段１、搬送ローラ等からなる搬送手段３、記録情報に基づいてシートＳに画像を記録する記録ヘッド等からなる記録手段４、並びに記録されたシートＳを送り出すための排紙ローラ等からなる排出手段５、６を経て、排紙トレイ７上に排出されて積載される。
【００１７】
本実施形態では、記録装置が記録情報に基づいて記録ヘッド６３からインク滴を吐出することで記録シートＳに画像を形成するインクジェット記録装置である場合が示されている。給紙ローラ１は、給紙トレイ２上に積載されたシートＳを分離爪（不図示）との協働作用により最上層から１枚ずつ分離給送するものである。給送されたシートＳは、図１に示すように、駆動回転される搬送ローラ３ａとこれにシートＳを押圧して従動回転する従動ローラ３ｂによって記録位置へ搬送される。記録手段４は、搬送ローラ３ａ及び従動ローラ３ｂからなる搬送手段３によって搬送されてくるシートＳにインクジェット記録方式によりインク像を記録するものである。本実施形態では、記録シートＳの幅方向に長いガイド軸１１に沿って往復移動可能なキャリッジ４ｃに記録ヘッド４ｄを搭載し、キャリッジ４ｃの移動に同期して画像信号に基づいて記録ヘッド４ｄを駆動することによりインク液滴を吐出し、プラテン４ｅにより支持されたシートＳにインク像を記録していく。
【００１８】
記録ヘッド４ｄは、シート搬送方向に配列された複数の微細な吐出口（オリフィス）からなる吐出口列と、各吐出口に通じる液路と、各液路の一部に設けられるエネルギー作用部と、各エネルギー作用部でインクに作用させる液滴形成エネルギーを発生するためのエネルギー発生手段と、を備えている。前記エネルギー発生手段としては、例えば、ピエゾ素子等の電気機械変換体を用いるもの、レーザー等の電磁波を照射して発熱させる発熱作用により液滴吐出エネルギーを発生させるもの、あるいは、発熱抵抗体を有する発熱素子等の電気熱変換体によって液体を加熱して液滴吐出エネルギーを発生させるものなどがある。
【００１９】
その中でも、熱エネルギーによって液体を吐出させる記録ヘッドは、吐出口を高密度に配列することができ、高解像度の画像記録に好適である。その中でも、電気熱変換体を用いる記録ヘッドは、コンパクト化も容易であり、高密度実装化が容易で、製造コストも安価なことから有利である。そこで、記録ヘッド４ｄは、記録信号に応じて吐出口ごとに設けられた電気熱変換体に通電し、その熱エネルギーによってインク中に膜沸騰を生じさせ、この膜奮闘によってインクに生ずる気泡の成長、収縮により吐出口からインクを吐出するように構成されている。なお、本実施形態における記録ヘッド４ｄは、その上部にインクを貯留するためのインクタンクが一体化されており、この部分でキャリッジ４ｃに着脱可能に装着されている。
【００２０】
図１〜図３において、記録手段４の搬送方向下流側には、駆動回転される第１排紙ローラ５ａとこれにシートＳを押圧して従動回転する拍車５ｂからなる第１の排出手段５、並びに、駆動回転される第２排紙ローラ６ａとこれにシートＳを押圧して従動回転する拍車６ｂからなる第２の排出手段６が配設されている。この排出手段５、６は、記録部を通してシートＳを搬送手段３と共に搬送するとともに、記録されたシートＳを排紙トレイ７上に記録面を上にして排出するものである。前記拍車５ｂ、６ｂは、シートＳに接触する面積が小さく、インク像が形成された記録面に接触しても該インク像を乱すことのない回転体で構成されている。
【００２１】
排出手段５、６によって装置本体外へ排出される記録シートＳは、該排出手段によって送り出されるだけでは、自重によってシート先端が垂れ下がり、そのままの状態で排出し続けると垂れ下がったシート先端が排紙トレイ７に既に排出されている記録済みのシートＳのインク像を擦ってしまう。そこで、図２に示すように、排出手段５、６によって送り出されるシートＳの先端が垂れ下がらないように、排出手段６の下流側で排紙トレイ７へ排出される前にシートＳの幅方向両端部を支持する（又は持ち上げる）ためのシート支持手段である支持部材８ａが配設されている。この支持部材８ａは、使用されるシートＳの幅等に応じて、シートＳの幅方向の２箇所以上に配設されている。
【００２２】
シート支持手段としての各支持部材８ａは、移動機構８ｂ（図４参照）により、排出されるシートＳを支持するように突き出した第１位置（突出位置）と、排出されるシートＳから退避するように排出手段６の下側等に収納される第２位置（収納位置）との間で移動可能（駆動可能）に構成されている。支持部材８ａは、シートＳの幅方向両端部を持ち上げることで、該シートの中央部を凹形状にして折れ曲がりにくい状態にして空中支持することができる。排出されるシートＳをこのように空中支持した状態で搬送（送り出す）ことで、既に排紙トレイ７上に排出されているシートの記録面の乾燥未完了のインク像に接触しないようにして後続のシートを排紙することができる。
【００２３】
さらに、支持部材８ａを突出位置の状態にして、シートＳの後端を第２排紙ローラ６ａと拍車６ｂによって挟持した状態で搬送（排出）を停止することで、該シートＳを排紙トレイ７上のシートの記録面の乾燥未完了のインク像に接触しない状態に維持することができる。そのため、前ページを印刷してから前頁のインクが乾燥し、インクが次のページの裏面に転写しない状態となるまでの時間が経過した後に、図３に示すように、第２排紙ローラ６ａでシートを排出搬送しながら支持部材８ａを収納位置（第２位置）に移動させることにより、記録済みシートＳを次々と排紙トレイ７上にインク擦れやインク転写汚れのない状態で積載していくことができる。
【００２４】
図４は支持部材（支持手段）８ａ及び移動手段８ｂの構造例を示す模式的縦断面図であり、支持部材８ａが記録シートＳの送り出し経路に進入する第１位置（突出位置）に突出している状態を示す。支持部材８ａは、装置本体に対し、排紙ローラ６ａ（又はプラテン４ｅ）の下側に収納される第２位置（収納位置）との間で移動可能に支持されている。支持部材８ａを搭載した案内部材１４２の下面には長さ方向に沿ってラックギア１５１が形成されており、案内部材１４２の下方にはラックギア１５１と噛み合うピニオンギア１５２を有する駆動軸１５３が軸支されている。こうして、駆動軸１５３の駆動を制御することにより案内部材１４２の突出収納方向の位置を制御し、それによって支持部材８ａを突出位置と収納位置との間で移動駆動する移動手段８ｂが構成されている。前記駆動軸１５３の駆動源としては、専用のモータを設けても良く、あるいは、他の既存のモータ（例えば給紙ローラ１の駆動源であるＡＳＦモータ）を兼用しても良い。
【００２５】
本実施形態では、支持部材８ａは案内部材１４２上に設けられた支軸１５４に揺動可能に軸支されている。この支持部材８ａは、突出位置で記録シートＳを持ち上げる支持部１５５と、装置本体側に設けられたカム１５６に当接するカム当接部１５７を有する。なお、図４の構成では、排紙ローラ及び拍車からなる第１及び第２の排出手段５、６が搬送方向の２箇所に配設され、これらの排出手段の間にカム１５６が配置されている。ただし、本発明は、排出手段を１箇所のみに配置する構成においても同様に適用可能なものである。
【００２６】
以上の図４の移動手段８ｂの構成によれば、駆動軸１５３によりピニオンギア１５２が図示時計方向に回転すると、案内部材１４２が図示右方向へ移動しプラテン４ｅの下側に収納される。これと同期して、支持部材８ａは、カム１５６とカム当接部１５７のカム動作により、案内部材１４２上の支軸１５４を中心に図示の反時計回りに揺動し、支持部１５５が下降するとともに支持部材８ａ全体が収納位置（第２位置）になる。一方、駆動軸１５３によりピニオンギア１５２が図示の反時計方向に回転駆動されると、案内部材１４２が図示左方向へ移動して図４に示すような突出位置になる。さらに、支持部材８ａは、カム１５６とカム当接部１５７のカム動作により、案内部材１４２上の支軸１５４を中心に図示の時計回りに回動され、支持部１５５が上昇して記録シートＳを支持する（持ち上げる）突出位置になる。本実施形態では、支持部材８ａは、排紙トレイ７の方向へ突出して上昇することで、排出手段５、６から排出されるシートＳを支持し、該シートＳの垂れを阻止するように動作する。
【００２７】
図５〜図９は本発明を適用した記録装置の一実施形態において両面記録を行う場合の構成及び動作を示す模式的縦断面図であり、図５は記録シートの第１面（おもて面）に画像を記録しているときの状態を、図６は第１面に記録された記録シートを支持手段で持ち上げている状態を、図７は第１面に記録された記録シートを逆方向に搬送して反転搬送路内へ取り込んで反転搬送を始めた状態を、図８は反転搬送路で反転させた記録シートの第２面に画像を記録している状態を、図９は両面に記録した記録シートを排紙トレイ上に排出するときの状態をそれぞれ示す。なお、図５〜図９の記録装置は、装置自体は図１〜図４の記録装置と同じである。
【００２８】
図５〜図９において、両面記録の場合は、先ず、前述の片面記録の場合と同様の表面（第１面）に対する記録を行う。すなわち、給紙トレイ２上に積載された記録シートＳは給紙ローラ１及び分離ローラ（不図示）により最上層から１枚ずつ分離給送され、搬送ローラ３ａ及び従動ローラ３ｂからなる搬送手段３により搬送されるシートＳに対し、記録情報に基づいて記録手段４により画像記録が行われる。シートＳは、記録ヘッド４ｄによりインク像を形成されながら、搬送手段３及び排出手段５、６によって搬送される。このとき、支持手段である支持部材８ａは、図５及び図６に示すように、シート８ａを持ち上げるように突出した第１位置にセットされる。なお、第１の排出手段５は、第１排紙ローラ５ａ及び拍車５ｂで構成され、第２の排出手段６は第２排紙ローラ６ａ及び拍車６ｂで構成されている。
【００２９】
シートＳの第１面に対する記録が終了した後、該シートの後端を第２排紙ローラ６ａと拍車６ｂで挟持した状態で搬送を停止させる。この搬送停止の状態で、図６に示すように支持部材８ａでシートＳを持ち上げることにより、既に排紙トレイ７上に排出されているシートの記録面の乾燥未完了のインク像に後続シートＳが接触しない状態を維持するとともに、該後続シートＳの表面のインク像が定着し、ローラや搬送路にインクが転写しない状態になるまで時間経過を待つ。その後、図７に示すように、排紙手段５、６及び搬送手段３を逆転させることにより、第１面に記録されたシートＳを装置本体内に引き戻し、反転手段である反転搬送路９内へ搬送する。
【００３０】
反転搬送路９内を搬送されたシートＳは、図８に示すように、表裏反転した状態で搬送手段３へ再突入し（再度送り込まれ）、搬送手段３及び排出手段５、６により搬送されながら、記録手段４によりその裏面（第２面）に画像を形成される。こうして記録シートＳの第２面にも記録（本実施形態では両面記録）が行われることになる。このシートＳに対する第２面の記録（裏面記録）を行うときに、支持部材８ａは移動手段８ｂ（図４参照）によって退避位置（第２位置）へ移動される。この退避位置としては、例えば第２排紙ローラ６ａの下に収納される位置が選定される。このように、両面記録における裏面記録のときに支持部材８ａを使用しない構成とすることで、インク像が形成された表面（第１面）を支持部材８ａで引っかくことがなく、擦過キズを防止することができる。
【００３１】
裏面に記録した後は、図９に示すように、支持部材８ａを収納位置にセットしたままシートＳを排紙トレイ７上に排出する。本実施形態における裏面記録の場合、支持部材８ａを使用せずに排紙トレイ７上のシートの上に直接排出しても良い。その理由は、前述のように表面（第１面）を記録した直後にインク乾燥のための待機時間をとっているため、既に排紙トレイ７に積載されているシート及びその表面に接触する後続シートの表面ではインクの定着が完了しており、擦れによるインク像の乱れやインク汚れが発生する懸念がないからである。また、この裏面記録においては、支持部材８ａを使用しないでシートＳを排紙トレイ７上に直接排出することから、裏面記録後の待機時間がなく、その分記録動作のスループット向上を図ることができる。
【００３２】
図１０は本実施形態に係る記録装置の制御手段の概略構成を示すブロック図である。図１０において、記録装置の制御手段としての制御基板１６０は、インターフェース２０１を介してコンピュータ等のホスト装置２００に接続されている。制御基板１６０にはマイクロプロセッサ等から成る中央演算処理装置（ＣＰＵ）１６１が設けられており、このＣＰＵ１６１にはメインバス２０２を介してＲＯＭ１６２、ＲＡＭ１６３、ヘッドドライバ１６４及びモータドライバ１６５、１６６、１６７、１６８が接続されている。一方、記録装置には、ＣＲ（キャリッジ）エンコーダセンサ１８１、ＬＦ（ラインフィード）エンコーダセンサ１８２、ＰＥ（ペーパーエンド）センサ１８３、ＰＧ（回復系）センサ１８４及びＡＳＦ（自動給紙）センサ１８５などの検知手段から成る検出部１８０が設けられている。
【００３３】
ＲＯＭ１６２には長期保存されるプログラムやデータ等の情報が記憶され、ＲＡＭ１６３には書き込み可能なデータ等の情報が記憶される。そこで、検出部１８０の各種のセンサ１８１〜１８５からの検知信号がメインバス２０２から制御基板１６０に入力されると、制御基板１６０のＣＰＵ１６１によってＲＯＭ１６２及びＲＡＭ１６３内の記憶情報に基づく演算処理が実行され、各種のドライバを介して対応する機構部の動作が実行される。すなわち、記録手段４の記録動作はヘッドドライバ１６４を介して制御され、記録シートＳを搬送するＬＦモータ１６９の制御はモータドライバ１６５を介して行われる。
【００３４】
また、ガイド軸１１及びガイドレール（不図示）に案内支持されたキャリッジ４ｃの主走査移動を駆動するキャリッジモータ１７０はモータドライバ１６６を介して制御され、記録部へ記録シートＳを給送するための給紙ローラ１の駆動源であるＡＳＦモータ（給紙モータ）１７１はモータドライバ１６７を介して制御され、不図示の回復機構部（記録ヘッド４ｄのメンテナンス部）の各回復手段の駆動源であるＰＧモータ１７２は、モータドライバ１６８を介してが制御される。さらに、支持手段８ａの突出及び収納を行うための移動手段８ｂの駆動軸１５３（図４）の駆動源である支持手段モータ１８７はモータドライバ１８６を介して制御される。
【００３５】
図１１は本実施形態に係る記録装置の図１０に示す制御手段による記録制御動作の概略シーケンスを示すフローチャートである。図１１において、記録動作が開始されると、ステップＳ１で表面（第１面）の記録の開始指令が発生したか否かを判別し、発生している場合にはステップＳ２へ進んで支持部材８ａが突出位置にあるか否かを判別する。突出位置にない場合はステップＳ３において移動手段８ｂを駆動して支持部材８ａを突出位置へ移動させる。そして、ステップＳ４で表面記録（第１面の記録）を実行する。表面記録が終了すると、ステップＳ５へ進んで裏面記録（第２面の記録）の指令があるか否かを判別する。裏面記録の指令がある場合は、ステップＳ６において支持部材８ａを収納位置へ退避させる。そして、ステップＳ７で記録シートＳに対する裏面記録を実行し、裏面記録した記録シートＳを排紙トレイ７へ排出することで、一連の１頁分の両面記録動作を終了する。なお、ステップＳ４で裏面記録の指令がない場合は、表面のみを記録して片面記録動作を終了する。
【００３６】
以上説明した実施形態によれば、記録情報に基づいて記録シートＳに画像を形成する記録手段４と、記録されて排出される記録シートの両端近傍で搬送経路に突出することで該記録シートの下面を支持するように配置されたシート支持手段８ａと、シート支持手段の位置を記録シートを支持可能な突出位置と記録シートを支持しない収納位置とに切り替えるための移動手段８ｂと、第１面に記録した記録シートを、第２面に記録するために表裏反転させる反転手段９と、を備えた記録装置において、第１面に記録するときにはシート支持手段８ａを突出位置にし、第２面に記録するとき及び記録シートを排出するときにはシート支持手段を収納位置にするように制御する制御手段１６０を有する構成としたので、片面記録及び両面記録のいずれにおいても記録された記録シートの擦れによる画像乱れを防止するとともに、記録シートの表面の擦過キズを防止することができ、裏面記録後の記録シートの排出動作時間を削減できる記録装置が提供される。
【００３７】
なお、本発明は、記録シートを記録ヘッドで主走査しながら記録するシリアルタイプの記録装置の他、記録シートの全幅又は一部をカバーする長さの記録ヘッドを用いて副走査のみで記録するラインタイプの記録装置など、記録の際の走査方式に関わらず広く適用可能なものであり、同様の作用効果を奏するものである。また、本発明は、インクを付着させて記録するインクジェット記録装置において特に有効であるが、熱転写式、感熱式、レーザビーム照射式、ワイヤドット式などの他の記録方式の記録装置においても、同様に適用可能なものであり、同様の作用効果を奏するものである。
【００３８】
また、本発明は、インクジェット記録装置の場合、１個の記録ヘッドを用いる記録装置、異なる色のインクで記録する複数の記録ヘッドを用いるカラー記録装置、あるいは同一色彩で異なる濃度で記録する複数の記録ヘッドを用いる階調記録装置、さらには、これらを組み合わせた記録装置の場合にも、同様に適用することができ、同様の効果を達成し得るものである。さらに、本発明は、記録ヘッドとインクタンクを一体化した交換可能なインクカートリッジを用いる構成、記録手段とインクタンクを別体にし、その間をインク供給用チューブ等で接続する構成など、記録ヘッドとインクタンクの配置構成がどのような場合にも同様に適用することができ、同様の効果が得られるものである。
【図面の簡単な説明】
【００３９】
【図１】本発明を適用した記録装置の一実施形態において片面記録を行う場合の記録シートに画像を記録しているときの状態を示す模式的縦断面図である。
【図２】図１の記録装置において片面記録を行う場合の記録された記録シートを支持手段で持ち上げている状態を示す模式的縦断面図である。
【図３】図１の記録装置において片面記録を行う場合の記録された記録シートを排紙トレイ上に排出するときの状態を示す模式的縦断面図である。
【図４】図１中の支持部材（支持手段）及び移動手段の構造例を示す模式的縦断面図である。
【図５】本発明を適用した記録装置の一実施形態において両面記録を行う場合の記録シートの第１面（おもて面）に画像を記録しているときの状態を示す模式的縦断面図である。
【図６】図５の記録装置において両面記録を行う場合の第１面に記録された記録シートを支持手段で持ち上げている状態を示す模式的縦断面図である。
【図７】図５の記録装置において両面記録を行う場合の第１面に記録された記録シートを逆方向に搬送して反転搬送路内へ取り込んで反転搬送を始めた状態を示す模式的縦断面図である。
【図８】図５の記録装置において両面記録を行う場合の反転搬送路で反転させた記録シートの第２面に画像を記録している状態を示す模式的縦断面図である。
【図９】図５の記録装置において両面記録を行う場合の両面に記録した記録シートを排紙トレイ上に排出するときの状態をそれぞれ示す模式的縦断面図である。
【図１０】本実施形態に係る記録装置の制御手段の概略構成を示すブロック図である。
【図１１】本実施形態に係る記録装置の図１０に示す制御手段による記録制御動作の概略シーケンスを示すフローチャートである。
【図１２】従来の記録装置において片面記録を行う場合の記録シートに画像を記録しているときの状態を示す模式的縦断面図である。
【図１３】図１２の記録装置において片面記録を行う場合の記録された記録シートを支持手段で持ち上げている状態を示す模式的縦断面図である。
【図１４】図１２の記録装置において片面記録を行う場合の記録された記録シートを排紙トレイ上に排出するときの状態を示す模式的縦断面図である。
【図１５】従来の記録装置において両面記録を行う場合の記録シートの第１面（おもて面）に画像を記録しているときの状態を示す模式的縦断面図である。
【図１６】図１５の記録装置において両面記録を行う場合の第１面に記録された記録シートを支持手段で持ち上げている状態を示す模式的縦断面図である。
【図１７】図１５の記録装置において両面記録を行う場合の第１面に記録された記録シートを逆方向に搬送して反転搬送路内へ取り込んで反転搬送を始めた状態を示す模式的縦断面図である。
【図１８】図１５の記録装置において両面記録を行う場合の反転搬送路で反転させた記録シートの第２面に画像を記録している状態を示す模式的縦断面図である。
【図１９】図１５の記録装置において両面記録を行う場合の両面に記録した記録シートを排紙トレイ上に排出するときの状態を示す模式的縦断面図である。
【符号の説明】
【００４０】
１        給紙ローラ
２        給紙トレイ
３        搬送手段
３ａ      搬送ローラ
４        記録手段
４ｃ      キャリッジ
４ｄ      記録ヘッド
４ｅ      プラテン
５、６    排出手段
５ａ、６ａ    排紙ローラ
７        排紙トレイ
８ａ      支持手段（支持部材）
８ｂ      移動手段
９        反転手段（反転搬送路）
１１      ガイド軸
１６０    制御手段（制御基板）
１６１    中央演算処理装置（ＣＰＵ）
１６２    ＲＯＭ
１６３    ＲＡＭ
１６４    ヘッドドライバ
１６５、１６６、１６７、１６８、１８６    モータドライバ
１８０    検出部
１８１    ＣＲ（キャリッジ）エンコーダセンサ
１８２    ＬＦ（ラインフィード）センサ
１８３    ＰＥ（ペーパーエンド）センサ
１８５    ＡＳＦ（自動給紙）センサ
１８７    支持手段モータ
２００    ホスト装置
【図１】
2006151671.tif 000003
【図２】
2006151671.tif 000004
【図３】
2006151671.tif 000005
【図４】
2006151671.tif 000006
【図５】
2006151671.tif 000007
【図６】
2006151671.tif 000008
【図７】
2006151671.tif 000009
【図８】
2006151671.tif 000010
【図９】
2006151671.tif 000011
【図１０】
2006151671.tif 000012
【図１１】
2006151671.tif 000013
【図１２】
2006151671.tif 000014
【図１３】
2006151671.tif 000015
【図１４】
2006151671.tif 000016
【図１５】
2006151671.tif 000017
【図１６】
2006151671.tif 000018
【図１７】
2006151671.tif 000019
【図１８】
2006151671.tif 000020
【図１９】
2006151671.tif 000021